(57)【要約】【課題】最適なチャンネルリストを効率よく設定することができるテレビジョン放送受信機及びチャンネルリスト設定方法を提供する。【解決手段】設定されたチャンネルリストに基づいて通常動作時にＴＶ放送信号を受信するテレビジョン放送受信機１において、設定されているチャンネルリストにリストアップされているチャンネルは飛ばしながらチャンネルを所定の順番でスキャンして、チューナ１１によりＴＶ放送信号の受信が可能なチャンネルを検出し、受信可能な一のチャンネルが検出された場合に、当該チャンネルに対応するＴＶ放送信号に含まれる地域識別情報に基づいて、当該ＴＶ放送信号を受信可能な地域を特定し、特定された地域に対応するチャンネルリストを地域別チャンネルリスト記憶ファイル１７３ａ１から取得し、取得されたチャンネルリストを設定するよう構成した。【選択図】図１
2009118405.tif 000002
【特許請求の範囲】
【請求項１】
設定されたチャンネルリストに基づいて通常動作時にテレビジョン放送信号を受信するテレビジョン放送受信機において、
予め設定された各地域に対応するチャンネルリストを記憶する記憶手段と、
受信可能な地域を識別するための地域識別情報を含むテレビジョン放送信号を受信する受信手段と、
チャンネルを所定の順番でスキャンして、前記受信手段によりテレビジョン放送信号の受信が可能なチャンネルを検出するスキャン手段と、
前記スキャン手段により受信可能な一のチャンネルが検出された場合に、当該チャンネルに対応するテレビジョン放送信号に含まれる地域識別情報に基づいて、当該テレビジョン放送信号を受信可能な地域を特定する特定手段と、
前記特定手段により特定された地域に対応するチャンネルリストを前記記憶手段から取得する取得手段と、
前記取得手段により取得されたチャンネルリストを設定する設定手段と、
を備え、
前記スキャン手段は、前記設定手段により設定されたチャンネルリストにリストアップされているチャンネルを飛ばして前記スキャンを行うことを特徴とするテレビジョン放送受信機。
【請求項２】
設定されたチャンネルリストに基づいて通常動作時にテレビジョン放送信号を受信する、携帯及び／又は車載可能なテレビジョン放送受信機において、
予め設定された各地域に対応するチャンネルリストを記憶する記憶手段と、
受信可能な地域を識別するための地域識別情報を含むテレビジョン放送信号を受信する受信手段と、
チャンネルを所定の順番でスキャンして、前記受信手段によりテレビジョン放送信号の受信が可能なチャンネルを検出するスキャン手段と、
前記スキャン手段により受信可能な一のチャンネルが検出された場合に、当該チャンネルに対応するテレビジョン放送信号に含まれる地域識別情報に基づいて、当該テレビジョン放送信号を受信可能な地域を特定する特定手段と、
前記特定手段により特定された地域に対応するチャンネルリストを前記記憶手段から取得する取得手段と、
前記取得手段により取得されたチャンネルリストを設定する設定手段と、
を備え、
前記スキャン手段は、前記設定手段により設定されたチャンネルリストにリストアップされているチャンネルを飛ばして前記スキャンを行うことを特徴とするテレビジョン放送受信機。
【請求項３】
請求項１又は２に記載のテレビジョン放送受信機によるチャンネルリスト設定方法において、
前記スキャン手段によって、前記設定手段により設定されたチャンネルリストにリストアップされているチャンネルは飛ばしながらチャンネルを所定の順番でスキャンして、前記受信手段によりテレビジョン放送信号の受信が可能なチャンネルを検出するスキャンステップと、
前記スキャンステップで受信可能な一のチャンネルが検出された場合に、前記特定手段によって、当該チャンネルに対応するテレビジョン放送信号に含まれる地域識別情報に基づいて、当該テレビジョン放送信号を受信可能な地域を特定する特定ステップと、
前記取得手段によって、前記特定ステップで特定された地域に対応するチャンネルリストを前記記憶手段から取得する取得ステップと、
前記設定手段によって、前記取得ステップで取得されたチャンネルリストを設定する設定ステップと、
を備えることを特徴とするチャンネルリスト設定方法。
【発明の詳細な説明】
【技術分野】
【０００１】
本発明は、テレビジョン放送受信機及びチャンネルリスト設定方法に関する。
【背景技術】
【０００２】
テレビジョン放送信号（以下、「ＴＶ放送信号」という）の受信が可能なテレビジョン放送受信機においては、例えば、通常動作時に、ユーザによって選局されたチャンネルに対応するＴＶ放送信号をすばやく受信することができるよう、初期設定や再設定によって、ＴＶ放送信号が受信可能なチャンネルをリストアップしたチャンネルリストを設定するようになっている。具体的には、例えば、テレビジョン放送受信機は、初期設定や再設定の際に、チャンネルをチャンネル順（例えば、物理チャンネル順）にオートスキャンして、ＴＶ放送信号の受信可能なチャンネルを検出し、その検出したチャンネルのリモコン番号などをリストアップしたチャンネルリストを設定するようになっている。
【０００３】
現在、地上デジタルテレビジョン放送を受信するテレビジョン放送受信機は、オートスキャンする際、例えば、１３ｃｈ〜６２ｃｈの５０チャンネルをスキャンするようになっている。したがって、初期設定や再設定に時間がかかるという問題がある。
【０００４】
そこで、例えば、予め各地域に対応するチャンネルリストを記憶しておき、再設定の際、初期設定の際に取得した地域コードが表す地域やその地域に近接する地域に対応するチャンネルリストを、予め記憶されているチャンネルリストの中から選択して設定する技術（例えば、特許文献１参照）などが提案された。
また、例えば、予め各地域に対応するチャンネルリストを記憶しておき、複数のチャンネルを所定の順番で並べた地域探索リストに従ってチャンネルを順次切り替え、ＴＶ放送信号を受信すると当該ＴＶ放送信号から地域識別コードを取得して、その取得した個数が所定の閾値を超える地域識別コードに基づく地域に対応するチャンネルリストを、予め記憶されているチャンネルリストの中から選択して設定する技術（例えば、特許文献２参照）なども提案されている。
また、例えば、予め各地域に対応するチャンネルリストを記憶しておき、ユーザが入力した地域（又はＧＰＳによって取得された位置を含む地域）やその地域に近接する地域に対応するチャンネルリストを、予め記憶されているチャンネルリストの中から選択して設定する技術（例えば、特許文献３参照）なども提案されている。
【特許文献１】特開２００７−１４２６０４号公報
【特許文献２】特開２００６−１３７６５号公報
【特許文献３】特開２００６−６７２７０号公報
【発明の開示】
【発明が解決しようとする課題】
【０００５】
しかしながら、特許文献１記載の技術では、再設定の時間は短縮できるものの、初期設定の時間は短縮することができない。また、取得した地域コードが表す地域に近接する近接地域であれば、ＴＶ放送信号が受信可能か否かに関わらず、その近接地域に対応するチャンネルリストを設定することになるため、効率的ではないという問題がある。
また、特許文献２記載の技術では、受信されたＴＶ放送信号から取得された地域識別コードが所定の閾値を超える場合に、当該地域識別コードに基づく地域に対応するチャンネルリストが設定されるため、例えば、所定の閾値が「２」である場合、チャンネルリスト設定の時点で取得された地域識別コードの数が「１」であると、その地域識別コードに基づく地域のチャンネルリストは設定されない。したがって、チャンネルリスト設定の時点では取得された地域識別コードの数が「１」であるが、移動することによって取得される地域識別コードの数が「２」を超える可能性があっても、その地域識別コードに基づく地域のチャンネルリストは設定されないため、最適なチャンネルリストを効率よく設定することができないという問題がある。
また、特許文献３記載の技術では、初期設定や再設定の時間を短縮することができるものの、ユーザが地域を入力したりＧＰＳによって位置を取得したりしなければならない。また、ユーザが入力した地域（又はＧＰＳによって取得された位置を含む地域）に近接する近接地域であれば、テレビジョン放送信号が受信可能か否かに関わらず、その近接地域に対応するチャンネルリストを設定することになるため、効率的ではないという問題がある。
【０００６】
本発明の課題は、最適なチャンネルリストを効率よく設定することができるテレビジョン放送受信機及びチャンネルリスト設定方法を提供することにある。
【課題を解決するための手段】
【０００７】
上記課題を解決するために、請求項１に記載の発明は、
設定されたチャンネルリストに基づいて通常動作時にテレビジョン放送信号を受信するテレビジョン放送受信機において、
予め設定された各地域に対応するチャンネルリストを記憶する記憶手段と、
受信可能な地域を識別するための地域識別情報を含むテレビジョン放送信号を受信する受信手段と、
チャンネルを所定の順番でスキャンして、前記受信手段によりテレビジョン放送信号の受信が可能なチャンネルを検出するスキャン手段と、
前記スキャン手段により受信可能な一のチャンネルが検出された場合に、当該チャンネルに対応するテレビジョン放送信号に含まれる地域識別情報に基づいて、当該テレビジョン放送信号を受信可能な地域を特定する特定手段と、
前記特定手段により特定された地域に対応するチャンネルリストを前記記憶手段から取得する取得手段と、
前記取得手段により取得されたチャンネルリストを設定する設定手段と、
を備え、
前記スキャン手段は、前記設定手段により設定されたチャンネルリストにリストアップされているチャンネルを飛ばして前記スキャンを行うことを特徴とする。
【０００８】
請求項２に記載の発明は、
設定されたチャンネルリストに基づいて通常動作時にテレビジョン放送信号を受信する、携帯及び／又は車載可能なテレビジョン放送受信機において、
予め設定された各地域に対応するチャンネルリストを記憶する記憶手段と、
受信可能な地域を識別するための地域識別情報を含むテレビジョン放送信号を受信する受信手段と、
チャンネルを所定の順番でスキャンして、前記受信手段によりテレビジョン放送信号の受信が可能なチャンネルを検出するスキャン手段と、
前記スキャン手段により受信可能な一のチャンネルが検出された場合に、当該チャンネルに対応するテレビジョン放送信号に含まれる地域識別情報に基づいて、当該テレビジョン放送信号を受信可能な地域を特定する特定手段と、
前記特定手段により特定された地域に対応するチャンネルリストを前記記憶手段から取得する取得手段と、
前記取得手段により取得されたチャンネルリストを設定する設定手段と、
を備え、
前記スキャン手段は、前記設定手段により設定されたチャンネルリストにリストアップされているチャンネルを飛ばして前記スキャンを行うことを特徴とする。
【０００９】
請求項３に記載の発明は、
請求項１又は２に記載のテレビジョン放送受信機によるチャンネルリスト設定方法において、
前記スキャン手段によって、前記設定手段により設定されたチャンネルリストにリストアップされているチャンネルは飛ばしながらチャンネルを所定の順番でスキャンして、前記受信手段によりテレビジョン放送信号の受信が可能なチャンネルを検出するスキャンステップと、
前記スキャンステップで受信可能な一のチャンネルが検出された場合に、前記特定手段によって、当該チャンネルに対応するテレビジョン放送信号に含まれる地域識別情報に基づいて、当該テレビジョン放送信号を受信可能な地域を特定する特定ステップと、
前記取得手段によって、前記特定ステップで特定された地域に対応するチャンネルリストを前記記憶手段から取得する取得ステップと、
前記設定手段によって、前記取得ステップで取得されたチャンネルリストを設定する設定ステップと、
を備えることを特徴とする。
【発明の効果】
【００１０】
本発明によれば、設定されたチャンネルリストに基づいて通常動作時にテレビジョン放送信号を受信するテレビジョン放送受信機及び当該テレビジョン放送受信機によるチャンネルリスト設定方法において、テレビジョン放送受信機は、予め設定された各地域に対応するチャンネルリストを記憶する記憶手段と、受信可能な地域を識別するための地域識別情報を含むテレビジョン放送信号を受信する受信手段と、を備え、設定されているチャンネルリストにリストアップされているチャンネルを飛ばしながらチャンネルを所定の順番でスキャンして、受信手段によりテレビジョン放送信号の受信が可能なチャンネルを検出し、受信可能な一のチャンネルが検出された場合に、当該チャンネルに対応するテレビジョン放送信号に含まれる地域識別情報に基づいて、当該テレビジョン放送信号を受信可能な地域を特定し、特定された地域に対応するチャンネルリストを記憶手段から取得し、取得されたチャンネルリストを設定することができる。
すなわち、一のチャンネルを検出すると、当該一のチャンネルに対応するテレビジョン放送信号を受信可能な地域のチャンネルリストを設定することができるため、その地域で受信可能な他のチャンネルを検出する時間を省略することができるとともに、テレビジョン放送信号が受信可能な地域のチャンネルリストのみを設定することができる。したがって、最適なチャンネルリストを効率よく設定することができる。
【発明を実施するための最良の形態】
【００１１】
以下、図を参照して、本発明を実施するための最良の形態を詳細に説明する。なお、発明の範囲は、図示例に限定されない。
【００１２】
＜テレビジョン放送受信機の構成＞
まず、テレビジョン放送受信機１の構成について、図１を参照して説明する。
【００１３】
テレビジョン放送受信機１は、例えば、設定されたチャンネルリスト（メモリ部１６に記憶されたチャンネルリスト１６１）に基づいて通常動作時にテレビジョン放送信号（ＴＶ放送信号）を受信する、携帯及び／又は車載可能なテレビジョン放送受信機である。具体的には、テレビジョン放送受信機１は、例えば、ポータブルテレビ、車載テレビ、携帯端末に内蔵されたテレビ、カーナビゲーション装置に内蔵されたテレビなどである。
テレビジョン放送受信機１は、例えば、チューナ１１と、復調部１２と、デコーダ部１３と、出力部１４と、操作部１５と、メモリ部１６と、制御部１７と、などを備えて構成される。
【００１４】
チューナ１１は、例えば、受信手段として、ＴＶ放送信号を受信する。
具体的には、チューナ１１は、例えば、制御部１７から入力される制御信号に従って、アンテナ１１ａにより受信されたＴＶ放送信号（例えば、デジタル方式のＴＶ放送信号）の中から、選局された一のチャンネルに対応する周波数帯域に存在するＴＶ放送信号を受信し、当該ＴＶ放送信号を変調して、中間周波信号を復調部１２に出力する。
【００１５】
復調部１２は、例えば、制御部１７から入力される制御信号に従って、チューナ１１から入力されたＴＶ放送信号（中間周波信号）に対してデジタル復調や誤り訂正などの所定の処理を施して、ストリーム（例えば、ＴＳ（トランスポートストリーム））をデコーダ部１３に出力する。
【００１６】
デコーダ部１３は、例えば、図１に示すように、分離部１３１と、ビデオデコーダ１３２と、オーディオデコーダ１３３と、データデコーダ１３４と、などを備えて構成される。
【００１７】
分離部１３１は、例えば、制御部１７から入力される制御信号に従って、復調部１２から入力されたＴＶ放送信号（ＴＳ）を、ビデオデータ、オーディオデータ、デジタル放送におけるＰＳＩ（Program Specific Information:番組特定情報）、ＳＩ（Service Information: 番組配列情報）などの複数のストリームに分離し、ＰＳＩと各ＴＳパケットが有するＰＩＤ（Packet Identifier）に基づいて必要なＴＳパケットを取得し、所定の規格下（例えば、ＭＰＥＧ２（Moving Picture Experts Group 2）規格下）のビデオストリームをビデオデコーダ１３２に出力し、オーディオストリームをオーディオデコーダ１３３に出力し、必要なＰＳＩやＳＩなどをデータデコーダ１３４に出力する。
【００１８】
ＰＳＩは、ＰＭＴ（Program Map Table）、ＰＡＴ（Program Association Table）、ＮＩＴ（Network Information Table）、ＣＡＴ（Conditional Access Table）のテーブルであり、ＴＳパケットのＰＩＤに基づいて、選局された番組の提供に必要なパケットを選択する際などに用いられる。
ＮＩＴ内には、そのＮＩＴを含むＴＶ放送信号が受信可能な地域を識別するための地域識別情報（例えば、network_idなど）が含まれている。すなわち、ＮＩＴによって、そのＮＩＴを含むＴＶ放送信号がどこの地域にあるどこの放送局による放送なのかを識別できるようになっている。
【００１９】
また、ＳＩは、サービス（チャンネル）に関する情報を記述するＳＤＴ（Service Description Table）、番組（イベント）に関する情報を記述するＥＩＴ（Event Information Table）、現在の日付・時刻を記述するＴＯＴ（Time Offset Table）、放送事業者に関する情報を記述するＢＩＴ（Broadcaster Information Table）などの各種テーブルである。
【００２０】
ビデオデコーダ１３２は、例えば、制御部１７から入力される制御信号に従って、分離部１３１から入力されたビデオストリームをデコードして映像データを生成し、制御部１７や出力部１４が有する映像出力部１４１に出力する。
【００２１】
オーディオデコーダ１３３は、例えば、制御部１７から入力される制御信号に従って、分離部１３１から入力されたオーディオストリームをデコードして音声データを生成し、制御部１７や出力部１４が有する音声出力部１４２に出力する。
【００２２】
データデコーダ１３４は、例えば、制御部１７から入力される制御信号に従って、分離部１３１から入力されたＰＳＩやＳＩなどをデコードして、制御部１７に出力する。
【００２３】
出力部１４は、例えば、図１に示すように、映像出力部１４１と、音声出力部１４２と、などを備えて構成される。
【００２４】
映像出力部１４１は、例えば、液晶表示機器等であり、例えば、制御部１７から入力される制御信号に従って、ビデオデコーダ１３２から入力された映像データに基づく映像を表示する。
【００２５】
音声出力部１４２は、例えば、スピーカ機器等であり、例えば、制御部１７から入力される制御信号に従って、オーディオデコーダ１３３から入力された音声データに基づく音声を出力する。
【００２６】
操作部１５は、例えば、テレビジョン放送受信機１の外面に備えられた操作ボタンや、テレビジョン放送受信機１用のリモートコントローラ及び当該リモートコントローラと通信可能なリモコン受信部などから構成されており、例えば、ユーザにより操作されると、当該操作に伴う各種信号を制御部１７に出力する。
具体的には、操作部１５には、例えば、チャンネルアップ／ダウンキーやチャンネル番号キーが設けられており、操作部１５は、例えば、ユーザが所望のチャンネルを選局する際などに使用される。
【００２７】
メモリ部１６は、例えば、設定プログラム１７３ｂ４を実行したＣＰＵ１７１（後述）により設定されたチャンネルリスト１６１を記憶する。
【００２８】
制御部１７は、例えば、図１に示すように、ＣＰＵ（Central Processing Unit）１７１と、ＲＡＭ（Random Access Memory）１７２と、記憶部１７３と、などを備えている。
【００２９】
ＣＰＵ１７１は、例えば、記憶部１７３に記憶されたテレビジョン放送受信機１用の各種処理プログラムに従って各種の制御動作を行う。
【００３０】
ＲＡＭ１７２は、例えば、ＣＰＵ１７１によって実行される処理プログラムなどを展開するためのプログラム格納領域や、入力データや上記処理プログラムが実行される際に生じる処理結果などを格納するデータ格納領域などを備える。
【００３１】
記憶部１７３は、例えば、テレビジョン放送受信機１で実行可能なシステムプログラム、当該システムプログラムで実行可能な各種処理プログラム、これら各種処理プログラムを実行する際に使用されるデータ、ＣＰＵ１７１によって演算処理された処理結果のデータなどを記憶する。なお、プログラムは、コンピュータが読み取り可能なプログラムコードの形で記憶部１７３に記憶されている。
【００３２】
具体的には、記憶部１７３は、例えば、図１に示すように、地域別チャンネルリスト記憶ファイル１７３ａ１と、スキャンプログラム１７３ｂ１と、特定プログラム１７３ｂ２と、取得プログラム１７３ｂ３と、設定プログラム１７３ｂ４と、などを記憶している。
【００３３】
地域別チャンネルリスト記憶ファイル１７３ａ１は、例えば、記憶手段として、予め設定された各地域に対応するチャンネルリストを記憶している。
具体的には、地域別チャンネルリスト記憶ファイル１７３ａ１には、例えば、図２に示すように、地域Ａ、地域Ｂ、地域Ｃ、…に対応するチャンネルリストが記憶されている。
ここで、予め設定された地域（地域Ａ、地域Ｂ、地域Ｃ、…）とは、例えば、ＴＶ放送信号の送信場所別に分割された地域や都道府県別に分割された地域などである。
【００３４】
チャンネルリストには、例えば、図２に示すように、ＴＶ放送信号を放送する放送局名と、そのＴＶ放送信号に含まれるＮＩＴ（地域識別情報）と、そのＴＶ放送信号が存在する周波数帯域の周波数値に対応するよう付与された物理チャンネル番号と、そのＴＶ放送信号を放送する放送局毎に割り当てられたそのＴＶ放送信号を選局する際に選択されるリモコン番号と、そのＴＶ放送信号が送信される送信場所と、などがリストアップされている。
【００３５】
スキャンプログラム１７３ｂ１は、例えば、チャンネルを所定の順番でスキャンして、チューナ１１によりＴＶ放送信号の受信が可能なチャンネルを検出する機能を、ＣＰＵ１７１に実現させる。
ここで、所定の順番とは、例えば、物理チャンネル番号の順である。
また、ＣＰＵ１７１は、例えば、設定プログラム１７３ｂ４を実行したＣＰＵ１７１により設定されたチャンネルリスト（メモリ部１６に記憶されたチャンネルリスト１６１）にリストアップされているチャンネルがある場合は、そのチャンネルを飛ばしてスキャンを行うようになっている。
【００３６】
具体的には、ＣＰＵ１７１は、例えば、選局する一のチャンネル（物理チャンネル）が、設定プログラム１７３ｂ４を実行したＣＰＵ１７１により設定されたチャンネルリスト（すなわち、メモリ部１６に記憶されたチャンネルリスト１６１）にリストアップされているチャンネル（物理チャンネル）であるか否かを判断する。
ＣＰＵ１７１は、例えば、選局する一のチャンネルが、メモリ部１６に記憶されたチャンネルリスト１６１にリストアップされているチャンネルでないと判断した場合、その一のチャンネルを選局し（すなわち、その一のチャンネルに対応する周波数帯域をチューナ１１に設定し）、デコーダ部１３から映像データや音声データが出力されるか否かを判断する。そして、ＣＰＵ１７１は、デコーダ部１３から映像データや音声データが出力されたと判断すると、選局した一のチャンネルを、チューナ１１によりＴＶ放送信号の受信が可能なチャンネルとして検出する。一方、ＣＰＵ１７１は、デコーダ部１３から映像データや音声データが出力されないと判断すると、選局した一のチャンネルは、チューナ１１によりＴＶ放送信号の受信が可能なチャンネルとして検出しない。
一方、ＣＰＵ１７１は、例えば、選局する一のチャンネルが、メモリ部１６に記憶されたチャンネルリスト１６１にリストアップされているチャンネルであると判断した場合、その一のチャンネルは選局しない。
そして、ＣＰＵ１７１は、この一連の動作を、物理チャンネル番号の順に行う。
ＣＰＵ１７１は、かかるスキャンプログラム１７３ｂ１を実行することによって、スキャン手段として機能する。
【００３７】
特定プログラム１７３ｂ２は、例えば、スキャンプログラム１７３ｂ１を実行したＣＰＵ１７１により受信可能な一のチャンネルが検出された場合に、当該チャンネルに対応するＴＶ放送信号に含まれるＮＩＴ（地域識別情報）に基づいて、当該テレビジョン放送信号を受信可能な地域を特定する機能を、ＣＰＵ１７１に実現させる。
【００３８】
具体的には、ＣＰＵ１７１は、例えば、スキャンプログラム１７３ｂ１を実行したＣＰＵ１７１により受信可能な一のチャンネルが検出されると、データデコーダ１３４から入力されたＰＳＩ中のＮＩＴを読み取り、その読み取ったＮＩＴ内の地域識別情報がリストアップされたチャンネルリストを地域別チャンネルリスト記憶ファイル１７３ａ１から検索して、検索されたチャンネルリストに対応する地域を、ＴＶ放送信号を受信可能な地域として特定する。
より具体的には、例えば、図２に示すように、ＣＰＵ１７１は、読み取ったＮＩＴ内に「７ＦＥ０」という情報が含まれる場合は、ＴＶ放送信号を受信可能な地域を「地域Ａ」と特定する。
ＣＰＵ１７１は、かかる特定プログラム１７３ｂ２を実行することによって、特定手段として機能する。
【００３９】
なお、読み取ったＮＩＴ内の地域識別情報がリストアップされたチャンネルリストを地域別チャンネルリスト記憶ファイル１７３ａ１から検索して、ＴＶ放送信号を受信可能な地域を特定するのではなく、例えば、予め設定された各地域に対応する地域識別情報リストを記憶部１７３内の地域別地域識別情報リスト記憶ファイル（図示省略）などに記憶しておき、読み取ったＮＩＴ内の地域識別情報がリストアップされた地域識別情報リストを地域別地域識別情報リスト記憶ファイルから検索して、ＴＶ放送信号を受信可能な地域を特定しても良い。
【００４０】
取得プログラム１７３ｂ３は、例えば、特定プログラム１７３ｂ２を実行したＣＰＵ１７１により特定された地域に対応するチャンネルリストを地域別チャンネルリスト記憶ファイル１７３ａ１から取得する機能を、ＣＰＵ１７１に実現させる。
ＣＰＵ１７１は、かかる取得プログラム１７３ｂ３を実行することによって、取得手段として機能する。
【００４１】
設定プログラム１７３ｂ４は、例えば、取得プログラム１７３ｂ３を実行したＣＰＵ１７１により取得されたチャンネルリストをメモリ部１６にチャンネルリスト１６１として記憶させることによって、その取得されたチャンネルリストを設定する機能を、ＣＰＵ１７１に実現させる。
ＣＰＵ１７１は、かかる設定プログラム１７３ｂ４を実行することによって、設定手段として機能する。
【００４２】
＜チャンネルリスト設定方法＞
次に、テレビジョン放送受信機１によるチャンネル設定方法について、図３のフローチャートを参照して説明する。
【００４３】
まず、ＣＰＵ１７１は、スキャンプログラム１７３ｂ１を実行して、メモリ部１６に記憶されているチャンネルリスト１６１を消去することによって、設定されているチャンネルリストを消去する（ステップＳ１）。
【００４４】
次いで、ＣＰＵ１７１は、ＲＡＭ１７２内の「ｎ（選局するチャンネルの物理チャンネル番号）」記憶領域に、最も小さい物理チャンネル番号を設定する（ステップＳ２）。
具体的には、例えば、物理チャンネルが１３ｃｈ〜６２ｃｈの５０チャンネルである場合、ＣＰＵ１７１は「ｎ」記憶領域に「１３」を設定する。
【００４５】
次いで、ＣＰＵ１７１は、物理チャンネル番号が「ｎ」のチャンネルを選局する（ステップＳ３）。
【００４６】
次いで、ＣＰＵ１７１は、チューナ１１によりＴＶ放送信号の受信が可能であるか否かを判断する（ステップＳ４）。
【００４７】
ステップＳ４で、チューナ１１によりＴＶ放送信号の受信が可能でないと判断すると（ステップＳ４；Ｎｏ）、ＣＰＵ１７１は、ステップＳ８の処理に移行する。
一方、ステップＳ４で、チューナ１１によりＴＶ放送信号の受信が可能であると判断すると（ステップＳ４；Ｙｅｓ）、ＣＰＵ１７１は、選局した一のチャンネル（すなわち、物理チャンネル番号が「ｎ」のチャンネル）を、チューナ１１によりＴＶ放送信号の受信が可能なチャンネルとして検出する（ステップＳ５）。
【００４８】
次いで、ＣＰＵ１７１は、特定プログラム１７３ｂ２を実行して、受信されたＴＶ放送信号に含まれるＮＩＴ内の地域識別情報に基づいて、物理チャンネル番号が「ｎ」のチャンネルに対応するＴＶ放送信号を受信可能な地域を特定する（ステップＳ６）。
【００４９】
次いで、ＣＰＵ１７１は、取得プログラム１７３ｂ３を実行して、特定された地域に対応するチャンネルリストを地域別チャンネルリスト記憶ファイル１７３ａ１から取得する（ステップＳ７）。
【００５０】
次いで、ＣＰＵ１７１は、設定プログラム１７３ｂ４を実行して、取得されたチャンネルリスト１６１をメモリ部１６に記憶させることによって、その取得されたチャンネルリストを設定する（ステップＳ８）。
【００５１】
次いで、ＣＰＵ１７１は、スキャンプログラム１７３ｂ１を実行して、「ｎ」記憶領域に記憶された番号が、最も大きい物理チャンネル番号であるか否かを判断する（ステップＳ９）。
具体的には、例えば、物理チャンネルが１３ｃｈ〜６２ｃｈの５０チャンネルである場合、ＣＰＵ１７１は、「ｎ」記憶領域に記憶された番号が「６２」であるか否かを判断する。
【００５２】
ステップＳ９で、「ｎ」記憶領域に記憶された番号が、最も大きい物理チャンネル番号であると判断すると（ステップＳ９；Ｙｅｓ）、ＣＰＵ１７１は、本処理を終了する。
一方、ステップＳ９で、「ｎ」記憶領域に記憶された番号が、最も大きい物理チャンネル番号でないと判断すると（ステップＳ９；Ｎｏ）、ＣＰＵ１７１は、「ｎ」記憶領域に「ｎ＋１」を設定する（ステップＳ１０）。
【００５３】
次いで、ＣＰＵ１７１は、物理チャンネル番号が「ｎ」のチャンネルが、ステップＳ８で設定されたチャンネルリストにリストアップされているか否かを判断する（ステップＳ１１）。
【００５４】
ステップＳ１１で、物理チャンネル番号が「ｎ」のチャンネルが、ステップＳ８で設定されたチャンネルリストにリストアップされていないと判断すると（ステップＳ１１；Ｎｏ）、ＣＰＵ１７１は、ステップＳ３以降の処理を繰り返して行う。
一方、ステップＳ１１で、物理チャンネル番号が「ｎ」のチャンネルが、ステップＳ８で設定されたチャンネルリストにリストアップされていると判断すると（ステップＳ１１；Ｙｅｓ）、ＣＰＵ１７１は、ステップＳ９以降の処理を繰り返して行う。
【００５５】
ここで、ステップＳ１〜Ｓ５及びステップＳ９〜Ｓ１１の処理がスキャンステップに相当し、ステップＳ６の処理が特定ステップに相当し、ステップＳ７の処理が取得ステップに相当し、ステップＳ８の処理が設定ステップに相当する。
【００５６】
以上説明した本発明のテレビジョン放送受信機１及びテレビジョン放送受信機１によるチャンネルリスト設定方法によれば、テレビジョン放送受信機１は、予め設定された各地域に対応するチャンネルリストを記憶する地域別チャンネルリスト記憶ファイル１７３ａ１と、受信可能な地域を識別するための地域識別情報を含むＴＶ放送信号を受信するチューナ１１と、を備え、スキャンプログラム１７３ｂ１を実行したＣＰＵ１７１によって、設定されているチャンネルリストにリストアップされているチャンネルを飛ばしながらチャンネルを所定の順番（物理チャンネル番号の順）でスキャンして、チューナ１１によりＴＶ放送信号の受信が可能なチャンネルを検出し、特定プログラム１７３ｂ２を実行したＣＰＵ１７１によって、受信可能な一のチャンネルが検出された場合に、当該チャンネルに対応するＴＶ放送信号に含まれる地域識別情報に基づいて、当該ＴＶ放送信号を受信可能な地域を特定し、取得プログラム１７３ｂ３を実行したＣＰＵ１７１によって、特定された地域に対応するチャンネルリストを地域別チャンネルリスト記憶ファイル１７３ａ１から取得し、設定プログラム１７３ｂ４を実行したＣＰＵ１７１によって、取得されたチャンネルリストを設定することができる。
すなわち、一のチャンネルを検出すると、当該一のチャンネルに対応するＴＶ放送信号を受信可能な地域のチャンネルリストを設定することができるため、その地域で受信可能な他のチャンネルを検出する時間を省略することができるとともに、ＴＶ放送信号が受信可能な地域のチャンネルリストのみを設定することができる。したがって、最適なチャンネルリストを効率よく設定することができる。
【００５７】
また、以上説明した本発明のテレビジョン放送受信機１及びテレビジョン放送受信機１によるチャンネルリスト設定方法によれば、テレビジョン放送受信機１に設定されているチャンネルリストには、スキャン時には検出できないが、テレビジョン放送受信機１が移動したりすると検出できる可能性のあるチャンネルもリストアップされるため、チャンネルリストの再設定の頻度を抑えることができる。
具体的には、例えば、スキャン時に、テレビジョン放送受信機が或るＴＶ放送信号（例えば、第１ＴＶ放送信号）の届きにくい位置にある場合など、その位置を含む地域（例えば、地域Ａ）で本来は受信可能であるが、スキャン時には受信できないＴＶ放送信号（第１ＴＶ放送信号）が存在する場合がある。この場合、テレビジョン放送受信機の位置が移動すると、その第１ＴＶ放送信号を受信できることがあるが、従来のように、全チャンネルをスキャンして、検出されたチャンネルのみをリストアップしたチャンネルリストを設定するようにすると、通常動作時にその第１ＴＶ放送信号に基づく映像や音声を視聴するためには、チャンネルリストを再設定する必要がある。しかしながら、本発明のテレビジョン放送受信機１及びテレビジョン放送受信機１によるチャンネルリスト設定方法によれば、地域Ａで受信可能な第１ＴＶ放送信号以外のＴＶ放送信号が受信できれば、第１ＴＶ放送信号に対応するチャンネルがリストアップされたチャンネルリストを設定することができるため、チャンネルリストの再設定の頻度を抑えることができる。
【００５８】
また、以上説明した本発明のテレビジョン放送受信機１及びテレビジョン放送受信機１によるチャンネルリスト設定方法によれば、テレビジョン放送受信機１は、携帯及び／又は車載可能である。
したがって、携帯及び／又は車載不可能なテレビジョン放送受信機と比較して、予め設定された地域（地域Ａ、地域Ｂ、地域Ｃ、…）同士の間を移動する頻度が多く、チャンネルリストを再設定する頻度が多くなるが、テレビジョン放送受信機１は、最適なチャンネルリストを効率よく設定することができるため、使い勝手が良い。
【００５９】
なお、本発明は、上記した実施の形態のものに限るものではなく、その要旨を逸脱しない範囲で適宜変更可能である。
【００６０】
所定の順番は、物理チャンネル番号の順である必要はなく任意である。
また、テレビジョン放送受信機１は、携帯及び／又は車載可能である必要はない。
【００６１】
テレビジョン放送受信機１は、出力部１４を備える必要はない。この場合、テレビジョン放送受信機１は、テレビジョン放送受信機１に接続された外部出力装置からＴＶ放送信号に基づく映像や音声を出力することになる。
【００６２】
テレビジョン放送受信機１は、受信可能な一のチャンネルに対応するＴＶ放送信号を受信可能な地域のチャンネルリストを設定するチャンネルリスト設定方法だけでなく、このチャンネルリスト設定方法に加えて、全チャンネルをスキャンして検出されたチャンネルのみをリストアップしたチャンネルリストを設定する方法や、ユーザにより入力された郵便番号などに対応するチャンネルリストを設定する方法などによっても、チャンネルリストを設定できる構成としても良い。この場合、例えば、ユーザによる操作部１５の操作によって、チャンネルリストを設定する複数の方法の中から、ユーザ所望の方法を選択させると良い。
【図面の簡単な説明】
【００６３】
【図１】本発明のテレビジョン放送受信機の機能的構成を示すブロック図である。
【図２】図１の「地域別チャンネルリスト記憶ファイル」のデータ構造を示すブロック図である。
【図３】本発明のチャンネルリスト設定方法を説明するためのフローチャートである。
【符号の説明】
【００６４】
１  テレビジョン放送受信機
１１  チューナ（受信手段）
１７１  ＣＰＵ（スキャン手段、特定手段、取得手段、設定手段）
１７３ａ１  地域別チャンネルリスト記憶ファイル（記憶手段）
１７３ｂ１  スキャンプログラム（スキャン手段）
１７３ｂ２  特定プログラム（特定手段）
１７３ｂ３  取得プログラム（取得手段）
１７３ｂ４  設定プログラム（設定手段）
【図１】
2009118405.tif 000003
【図２】
2009118405.tif 000004
【図３】
2009118405.tif 000005